(57)【要約】      （修正有）【課題】地震や火災等による緊急事態が発生しても、人工透析を続けながら、安全な場所へ移動し、移動した場所に安定して固定することができる移動可能人工透析装置を提供する。【解決手段】給水装置５と、透析装置７と、電源装置８と、患者用寝台１０とからなる人工透析装置１において、人工透析装置１全体を各々台車１１上に取り付けて、この台車１１下面に全方位に移動可能な車輪１２と、この車輪１２の遊動を停止できるストッパー１３を設けて、人工透析装置１を安全な場所に移動して、移動した場所に安定して固定でき、さらに、人工透析に必要な電源は、患者用寝台１０に収納自在に取り出し可能に設けた太陽光発電パネルから供給を受ける構造とした。【選択図】図１
0003206519.tif 000002
【実用新案登録請求の範囲】
【請求項１】
上水道装置から受水した上水道水を精密濾過して清浄水にする給水装置と、該給水装置から受水した清浄水を透析液に調整しながら人工透析を行い透析後の不要な処理液は排水する透析装置と、該透析装置を稼働させるための電源の供給を受ける電源受け具と、該透析装置で人工透析を行う患者用寝台とからなる人工透析装置において、該人工透析装置全体が各々台車上に取り付けられていて、該台車の下面には全方位に移動が可能な車輪と、該車輪の遊動可能状態を停止できるストッパーを設けた構造であることを特徴とする全方位に移動可能人工透析装置。
【請求項２】
前記患者用寝台が、収納自在に取り出し可能な、前記透析装置の電源の供給を受ける電源受け具に一体連結された移動時用予備電源供給用の太陽光発電パネルを設けた構造であることを特徴とする請求項１記載の移動可能人工透析装置。
【請求項３】
前記給水装置が、上水道水受け口取り外し具と、該上水道水受け口取り外し具に一体連結した上水道水受け口と、該上水道水受け口に一体連結した上水道水を精密濾過する濾過具と、該濾過具に一体連結した２つの透析液調整用の清浄水タンクを有し、該２つの清浄水タンクが、通常時稼働受水用の小型清浄水タンク、該小型清浄水タンクからの受水停止具を設けた移動時稼働送水用の大型清浄水タンクの順に設けられた構造であることを特徴とする請求項１又は２記載の移動可能人工透析装置。
【考案の詳細な説明】
【技術分野】
【０００１】    本考案は、人工透析装置に関し、より詳しくは地震や火災等の緊急時においても、人工透析装置を稼働し続けながら、人工透析装置全体を移動することが可能な、移動可能人工透析装置に関する。
【背景技術】
【０００２】    腎臓が何らかの原因によってその機能が十分に果たせない状態、つまり腎不全になった患者用に、腎臓の代りとしての役目を果たす透析療法である人工透析が用いられている。【０００３】    この人工透析は、患者が人工透析の設備を備えた病院等の医療施設に自ら通院するか、あるいは入院して、その医療施設において、１週間に３〜４回程度、１回あたり４〜５時間程度連続の人工透析を受けている。【０００４】    ところが、人工透析中に地震や火災等による緊急避難が必要な場合が発生しても、従来の人工透析装置には簡単で安全に移動や脱出ができる装置はなく、人工透析を行っている患者にとっては大変不安となっている。【０００５】  この問題を解決するために、人工透析中に地震や火災等による緊急事態が発生すれば、透析患者自身が２本の透析チューブを外して、安全な場所に避難する人工透析緊急脱出装置（例えば、特許文献１参照）も提案されている。【０００６】  しかしながら、この提案においては、透析患者自身が、危険で難度の高い透析チューブを外す操作等も必要とし、透析患者が高齢者や身体が不自由な方であれば、とても、簡単で安全に操作できるものではなく、問題は残されたままであるといえる。
【先行技術文献】
【特許文献】
【０００７】
【特許文献１】  特開２０１３−２５５７６７号  公報
【考案の概要】
【考案が解決しようとする課題】
【０００８】    本考案は、以上のような問題点に鑑みてなされたものであり、その目的は、透析患者が病院等の医療施設で人工透析を受けている途中に、地震や火災等による緊急事態が発生しても、人工透析を続けながら、安全な場所へ移動できることが可能な人工透析装置を提供することである。
【課題を解決するための手段】
【０００９】    上述した事情に鑑み、本考案の人工透析装置は、上水道水を精密濾過して得られた清浄水を透析液に調整しながら人工透析を行い不要な処理液は排水する透析装置と、該透析装置を稼働させるための電源の供給を受ける電源受け具と、該透析装置を稼働するための給水装置と、該透析装置で人工透析を行う患者用寝台とからなる。【００１０】    本考案の人工透析装置は、該人工透析装置全体を各々台車上に取り付けて、該台車の下面に全方位に移動が可能な車輪と、該車輪の遊動可能状態を停止できるストッパーを設けることにより、人工透析を続けながらの人工透析装置の移動を可能とした。【００１１】    また、本考案の人工透析装置を構成する患者用寝台には、収納自在に取り出し可能な、透析装置の電源の供給を受ける電源受け具に一体連結された移動時用予備電源供給用の太陽光発電パネルを設けることにより、緊急移動時の人工透析装置の電源供給装置とした。【００１２】    さらに、本考案の給水装置は、上水道水受け口取り外し具と、上水道水受け口取り外し具に一体連結した上水道水受け口と、この上水道水受け口に一体連結した上水道水を精密濾過する濾過具と、この濾過具に一体連結した２つの透析液調整用の清浄水タンクを有し、この２つの清浄水タンクは、通常時稼働受水用の小型清浄水タンク、小型清浄水タンクからの受水停止具を設けた移動時稼働送水用大型清浄水タンクの順に設けられ、移動時には上水道水受け口を取り外し、通常時稼働受水用の小型清浄水タンクからの受水も停止し、移動時稼働送水用大型清浄水タンクで透析装置への透析液調整用清浄水の給水装置とした。
【考案の効果】
【００１３】    本考案の構成によれば、人工透析装置全体を、地震や火災等の緊急時にも、患者用寝台に設けたソーラ発電パネルで透析装置を稼働させる電源を供給し、給水装置に設けた上水道水受け口取り外し具で２つの清浄水タンクの受送を調整して、人工透析を続けながら、安全な任意の場所に移動して、移動した場所に安定して固定させることができる。
【図面の簡単な説明】
【００１４】
【図１】本考案の移動可能人工透析装置の全体模式図の一例を示す。
【図２】本考案の移動可能人工透析装置を構成する患者用寝台の一例を示す。
【図３】本考案の移動可能人工透析装置を構成する透析液調整用の２つの清浄水タンクの一例を示す。
【考案を実施するための形態】
【００１５】    図１は本考案の移動可能人工透析装置の全体を示す模式図であり、図２は本考案の移動可能人工透析装置を構成する患者用寝台の一例を示し、図３は本考案の移動稼働人工透析装置を構成する透析液調整用の２つの清浄水タンクの構造の一例を示し、以下図１〜図３に基づいて説明する。
【実施例】
【００１６】    図１において、本考案の移動可能人工透析装置１は上水道装置２から上水道水受け口取り外し具３と上水道水受け口４を介して受水した上水道水を精密濾過して清浄水にする給水装置５と、この清浄水を受水して透析液に調整しながら人工透析を行い透析後の不要な処理液は排水具６で排水する透析装置７と、該透析装置７を稼働するため電源を電源装置８からの電源の供給を受ける電源受け具９と、該透析装置７で人工透析を行う患者用寝台１０とから構成されている。【００１７】    また、移動可能人工透析装置１は、装置全体が各々台車１１の上に取り付けられていて、該台車１１の下面には、適宜な数の全方位に移動が可能な車輪１２と、該車輪１２の遊動可能状態を停止できる適宜の数のストッパー１３が設けられている。【００１８】    図２において、人工透析を行う患者用寝台１０は、前記透析装置７の電源受け具９に一体連結できる電源供給具１４を設けた、収納自在に取り出し可能な太陽光発電パネル１５が設けられている。【００１９】    図３において、給水装置５は、上水道装置２から上水道水受け口取り外し具３と上水道水受け口４を介して受水した上水道水を濾過具１６で精密濾過して透析液調整用の清浄水とし、通常時は小型清浄水タンク１７、大型清浄水タンク１８の順に透析液調整用の清浄水を通過さして透析装置７に送水している。【００２０】    また、人工透析を続けながら移動する場合は、まず、患者用寝台１０に設けている太陽光発電パネル１５が収納されていた場合は取り出し、電源供給具１４を電源受け具９に接続し、供給電源を確認してから電源受け具９を電源装置８から抜く。【００２１】    次いで、大型清浄水タンクに設けている小型清浄水タンクからの受水停止具１９で、大型清浄水タンク１８への受水を停止し、上水道水受け口取り外し具で水道装置からの接続固定を外して、移動可能人工透析装置１が移動できる状態にして、ストッパー１３を解除することにより、移動可能人工透析装置１を適宜の場所へ移動し、移動後、ストッパー１３で簡単安全に固定し、人工透析を続けることが可能となる。
【産業上の利用可能性】
【００２２】    本考案の移動可能人工透析装置によれば、病院等の医療施設に限定されることなく、また、人工透析を必要としない通常の治療をされている方にも簡単・容易に適用することが可能であるのはいうまでもなく、さまざまな多くの分野・用途への利用が可能である。
【符号の説明】
【００２３】      １  移動可能人工透析装置
２  上水道装置
３  上水道水受け口取り外し具
４  上水道水受け口
５  給水装置
６  排水具
７  透析装置
８  電源装置
９  電源受け具
１０  患者用寝台
１１  台車
１２  車輪
１３  ストッパー
１４  電源供給具
１５  太陽光発電パネル
１６  濾過具
１７  小型清浄水タンク
１８  大型清浄水タンク
１９  受水停止具
【図１】
0003206519.tif 000003
【図２】
0003206519.tif 000004
【図３】
0003206519.tif 000005